(57)【要約】【課題】開閉手段、振動検知手段の動作点検を行い、高信頼性の流量計測装置を提供するものである。【解決手段】開閉手段３の動作に伴う振動波形を検知可能な振動検知手段５を設け、開閉手段３が開閉動作をするときの振動波形を振動検知手段５で検知し、開閉手段３の開〜閉、閉〜開までの振動波形を確認することで開閉手段３の弁体の開及び閉の位置検出を行い、弁体が所定の位置に正常に動作していることを監視することが可能となる。また、開閉手段３、振動検知手段５の定期点検モードを設けることによって、漏洩、地震、ガスの異常使用等の異常検知時に確実にガス供給を停止できる高信頼性の流量計測装置を供給できることになる。【選択図】図１
2008256536.tif 000002
【特許請求の範囲】
【請求項１】
流体通路と、前記流体通路の流量を検出する流量検出手段と、前記流体通路を開閉する開閉手段と、前記流体通路の圧力を検知する圧力検知手段と、前記開閉手段の開閉動作時における振動波形を検知する振動検知手段と、前記各手段の制御及び判定を行う制御部とを備えた流量計測装置。
【請求項２】
開閉手段の定期的な動作確認を行う定期点検モードを備えた請求項１記載の流量計測装置。
【請求項３】
振動検知手段の定期的な動作確認を行う定期点検モードを備えた請求項１記載の流量計測装置。
【発明の詳細な説明】
【技術分野】
【０００１】
本発明は、ＬＰガス、都市ガス等の被測定流体の流量計測装置に関するものである。
【背景技術】
【０００２】
従来のこの種の計測装置は、漏洩、地震、異常ガス使用等の異常検出時に開閉手段によりガス供給停止によってガス事故の防止を図っている（例えば、特許文献１参照）。
【０００３】
図５は、特許文献１に記載された従来の計測装置を示すものである。図５において、１は流体通路、２は流量検出手段、３は開閉手段、４は圧力検知手段、５は振動検出手段、６は制御部から構成されている。
【特許文献１】特開２００６−２５６００号公報
【発明の開示】
【発明が解決しようとする課題】
【０００４】
しかしながら、前記従来の構成では、制御部より開閉手段への動作指示信号によって開閉手段の動作が行われるが、開閉手段駆動部の不具合又は塵、埃、異物による動作不良や振動検知手段の故障等によって、漏洩、地震、異常ガス使用等の異常検出時で遮断する開閉手段の機能が十分発揮できないまま動作が継続されるという課題を有していた。
【０００５】
本発明は、前記従来の課題を解決するもので、漏洩、地震、ガスの異常使用等の異常検知時に確実にガス供給を停止できる高信頼性の流量計測装置を提供することを目的とする。
【課題を解決するための手段】
【０００６】
前記従来の課題を解決するために、開閉手段の動作による振動波形を検知可能な振動検知手段を設けたものである。
【０００７】
この構成によって、開閉手段の開閉動作する時の振動を振動検知手段で検知し、開〜閉、閉〜開までの振動波形を確認することで、開閉手段の弁体の開及び閉の位置検出を行い、弁体が所定の位置に正常に動作していることを監視することが可能となる。
【０００８】
なお、弁体が所定の位置に正常に動作していない開閉手段の動作故障を検知した場合、表示、通信による設備異常通報に展開することによって、計測装置の異常報知を行い、漏洩、地震、ガスの異常使用等の異常検知時に確実にガス供給を停止できる高信頼性の流量計測装置を供給できることになる。
【０００９】
また、本発明の流量計測装置は、開閉手段及び振動検知手段の動作を定期的に確認する定期点検モードを設けたものである。
【００１０】
定期的に開閉手段を動作させ、その動作による振動波形を確認することによって、開閉手段及び振動検知手段の正常動作を確認することができ、更に高信頼性の流量計測装置を供給できることになる。
【発明の効果】
【００１１】
本発明の計測装置は、開閉手段の弁体が所定の位置に正常に動作していることを監視することによって、漏洩、地震、ガスの異常使用等の異常検知時に確実にガス供給を停止できる高信頼性の流量計測装置を供給することができる。
【００１２】
更に、定期的に開閉手段を動作させ、正常動作することを確認することによって、開閉手段及び振動検知手段の信頼性を高めている。
【発明を実施するための最良の形態】
【００１３】
第１の発明は、流体通路と、前記流体通路の流量を検出する流量検出手段と、前記流体通路を開閉する開閉手段と、前記流体通路の圧力を検知する圧力検知手段と、前記開閉手段の開閉動作時における振動波形を検知する振動検知手段と、前記各手段の制御及び判定を行う制御部とを備えた構成としたことを特徴とするものである。
【００１４】
そして、開閉手段の開閉動作する時の振動を振動検知手段で検知し、開〜閉、閉〜開までの振動波形を確認することで、開閉手段の弁体の開及び閉の位置検出を行い、弁体が所定の位置に正常に動作していることを監視することができ、漏洩、地震、ガスの異常使用等の異常検知時に確実にガス供給を停止できる高信頼性の流量計測装置を供給できる。
【００１５】
第２の発明は、定期的に開閉手段を開〜閉、閉〜開の動作を行い、動作時に発生する振動を振動検知手段で検知して、所定の正常波形と比較して開閉手段の異常の有無を判定して動作確認を行う定期点検モードを設けることで、高信頼性の流量計測装置を提供できる。
【００１６】
波形判定では、振動検出手段が正常であることの確認のため、開閉手段の開、閉時の振動波形又は振動出力値で判定することも必要となる。
【００１７】
第３の発明は、定期的に開閉手段を動作させて振動検知手段の定期点検モード設けることにより、更に高信頼性の流量計測装置を提供できる。
【００１８】
特に、電池駆動のガスメータシステムでは、開閉手段の動作において消費電流が増加するため、振動検知手段の定期点検モードの開閉手段動作は、開位置→中央位置→開位置の動作等、最小限の動作範囲で動作速度の遅い低消費電流の省エネモード動作で実施する必要が生じる場合もある。
【００１９】
以下、本発明の実施の形態について、図面を参照しながら説明する。なお、この実施の形態によって本発明が限定されるものではない。
【００２０】
（実施の形態１）
図１は本発明の第１の実施形態における流量計測装置の構成図、図２は開閉手段の振動波形を示すものである。
【００２１】
図１において、流体通路１と、流体通路１を流れる流量を検出する流量検出手段２と、流体通路１を開閉する開閉手段３と、流体通路１の圧力を検知する圧力検知手段４と、開閉手段３の動作に伴い発生する振動波形を検知する振動検知手段５と、前記各手段の制御及び判定を行う制御部６とで流量計測装置を構成している。なお、振動検知手段５は開閉手段３の振動波形以外に、地震や衝撃による振動波形を検出し、区別して判断するようにすることも可能である。
【００２２】
また、開閉手段３の振動を振動検知手段５へ効率的に伝達するため、振動の伝達手段７を設けても良い。
【００２３】
以上のように構成された流量計測装置について、以下その動作、作用を説明する。
【００２４】
まず、漏洩、地震、ガスの異常使用等の異常検知時に、制御部６より開閉手段３へ動作指示が出される。その動作指示により開閉手段３の開閉動作が行われる。開閉動作による振動を振動検知手段５が検知して波形を制御部５へ送り、予め記憶してある設定波形、設定値と比較することで開閉手段３の弁体の位置検出を行い、任意設定時間での位置検出値が正常であるか否かを制御部６で判定することとなる。
【００２５】
判定によって、開閉手段３の弁体が所定の位置に正常に動作していることを監視することにより、漏洩、地震、ガスの異常使用等の異常検知時に確実にガス供給を停止できる高信頼性の流量計測装置を供給できる。
【００２６】
（実施の形態２）
図３は本発明の第２の実施形態における開閉手段の振動波形を示すものである。
【００２７】
図３において、開閉手段３は定期的に動作確認を行う点検モードを備えている。
【００２８】
以上のように構成された計測装置について、以下その動作、作用を説明する。
【００２９】
まず、開閉手段３へ定期点検指示が出される。その定期点検指示により開閉手段３の開閉動作が行われる。開閉動作による振動を振動検知手段５が検知して波形を制御部６へ送り、予め記憶してある設定波形、設定出力値と比較することで開閉手段３の弁体の位置検出を行い、位置検出値が正常であるか否かを制御部６で判定する。又、閉、開位置での振動出力値によって予め想定される振動検知手段５の出力と比較して振動検知手段５の正常性も判定される。
【００３０】
開閉手段３の弁体が所定の位置に正常に動作していることを監視することによって、漏洩、地震、ガスの異常使用等の異常検知時に確実にガス供給を停止できる高信頼性の流量計測装置を供給できる。
【００３１】
以上のように、本実施形態においては開閉手段３を定期的に開閉動作して、動作による振動を振動検知手段５で検知して制御部６で判定することによって、開閉手段３の動作保証ができる効果的な点検モードが実現できる。
【００３２】
（実施の形態３）
図４は本発明の第３の実施形態における開閉手段の振動波形を示すものである。
【００３３】
図４において、地震検知手段５は定期的に動作確認を行う点検モードを備えている。
【００３４】
以上のように構成された流量計測装置について、以下その動作、作用を説明する。
【００３５】
まず、制御部６より開閉手段３へ定期点検指示が出される。その定期点検指示により開閉手段３の開閉動作が行われる。開閉動作による振動を振動検知手段５が検知して波形を制御部６へ送り、予め記憶してある設定波形、設定出力値と比較することで開閉手段３の弁体の位置検出を行い、位置検出値が正常であるか否かを制御部６で判定する。又、閉、開位置での振動出力値によって予め想定される振動検知手段５の出力と比較して振動検知手段５の正常性も判定される。
【００３６】
しかし、電池駆動のガスメータシステムでは、定期点検毎に開閉手段３の開閉動作を実施した場合、消費電流増加による電池消耗が懸念されることとなる。そのため、開閉手段３の動作は、開位置→中央位置→開位置の動作等、最小限の動作範囲で動作速度の遅い低消費電流の省エネモード動作での定期点検動作が推奨される。
【００３７】
図４はこの時の開閉手段の振動波形を示したものである。この定期点検によって、漏洩、地震、ガスの異常使用等の異常検知時に確実にガス供給を停止できる高信頼性の流量計測装置を供給できる。
【００３８】
以上のように、本実施形態においては開閉手段３を定期的に開閉動作して、動作による振動を振動検知手段５で検知して制御部６で判定することによって、振動検知手段５の動作保証ができる効果的な点検モードが実現できる。
【産業上の利用可能性】
【００３９】
以上のように本発明に係る流量計測装置は、漏洩、地震、ガスの異常使用等の異常検知時に確実にガス供給を停止できる高信頼性の計測装置を供給が可能となるので、ＬＰガス、都市ガス以外の気体、及び流体等の計測装置等の用途にも適用できる。
【図面の簡単な説明】
【００４０】
【図１】本発明の実施の形態１における流量計測装置の構成図
【図２】本発明の実施の形態１における振動波形を示す図
【図３】本発明の実施の形態２における振動波形を示す図
【図４】本発明の実施の形態３における振動波形を示す図
【図５】従来の計測装置の構成図
【符号の説明】
【００４１】
１  流体通路
２  流量検出手段
３  開閉手段
４  圧力検知手段
５  振動検知手段
６  制御部
７  伝達手段
【図１】
2008256536.tif 000003
【図２】
2008256536.tif 000004
【図３】
2008256536.tif 000005
【図４】
2008256536.tif 000006
【図５】
2008256536.tif 000007